(57)【特許請求の範囲】
【請求項１】
ユーザのサービスアクティビティを感知する方法において、
第１端末がホーム基地局を介してホームネットワークデバイスを制御することを示すサービスアクティビティ情報を、取得することと、
上記ホーム基地局に接続されるネットワーク側に上記サービスアクティビティ情報を送信し、上記ネットワーク側に上記サービスアクティビティ情報に基づいてユーザのサービスアクティビティを獲得させることと
を含むことを特徴とするユーザのサービスアクティビティを感知する方法。
【請求項２】
第１端末がホーム基地局を介してホームネットワークデバイスを制御することを示すサービスアクティビティ情報を取得することにおいて、具体的に、
第１端末が送信した、上記ホームネットワークデバイスに対するサービス制御要求を受信することと、
上記ネットワーク側が上記サービス制御要求に従って返したサービス内容を、上記ホームネットワークデバイスに誘導することと、
上記サービス内容に基づいて生成されたサービスアクティビティ情報を取得することと
を含むことを特徴とする請求項１に記載の方法。
【請求項３】
上記ホーム基地局に接続されるネットワーク側に上記サービスアクティビティ情報を送信することにおいて、具体的に、
上記サービスアクティビティ情報をＲＰＩＤフォーマットのサービスアクティビティデータに変換することと、
上記ＲＰＩＤフォーマットのサービスアクティビティデータを上記ネットワーク側に送信することと
を含むことを特徴とする請求項１に記載の方法。
【請求項４】
上記ホーム基地局に接続されるネットワーク側に上記サービスアクティビティ情報を送信することの後に、
上記ネットワーク側が上記サービスアクティビティ情報に基づいて生成したサービス推薦内容を、取得して上記ホームネットワークデバイスに転送することを更に含むことを特徴とする請求項１に記載の方法。
【請求項５】
上記ホーム基地局に接続されるネットワーク側に上記サービスアクティビティ情報を送信することの後に、
ネットワーク側は、上記サービスアクティビティ情報を第２端末に送信し、第２端末に上記サービスアクティビティ情報に基づいて、上記サービスアクティビティ情報に対応するサービス内容を、上記第２端末に接続されるホーム基地局を介して上記ネットワーク側から獲得させることを更に含むことを特徴とする請求項１又は４に記載の方法。
【請求項６】
端末がホーム基地局を介してホームネットワークデバイスを制御することを示すサービスアクティビティ情報を、取得してサービス感知モジュールにリアルタイムに伝送するためのサービス代理モジュールと、
上記ホーム基地局に接続されるネットワーク側に上記サービスアクティビティ情報を送信し、上記ネットワーク側に上記サービスアクティビティ情報に基づいてユーザのサービスアクティビティを獲得させるための上記サービス感知モジュールと
を含むことを特徴とする基地局。
【請求項７】
上記サービス代理モジュールは、
端末が送信した、上記ホームネットワークデバイスに対するサービス制御要求を受信するための受信モジュールと、
上記ネットワーク側が上記サービス制御要求に従って返したサービス内容を、上記ホームネットワークデバイスに誘導するための誘導モジュールと、
上記サービス内容に基づいてサービスアクティビティ情報を生成し、上記サービスアクティビティ情報を上記サービス感知モジュールにリアルタイムに伝送するための生成モジュールと
を含むことを特徴とする請求項６に記載の基地局。
【請求項８】
上記サービス代理モジュールは、
上記ネットワーク側が上記サービスアクティビティ情報に基づいて生成したサービス推薦内容を、取得して上記ホームネットワークデバイスに転送するための推薦サービス取得モジュールを更に含むことを特徴とする請求項７に記載の基地局。
【請求項９】
上記サービス感知モジュールは、
上記サービスアクティビティ情報をＲＰＩＤフォーマットのサービスアクティビティデータに変換するための変換モジュールと、
上記ＲＰＩＤフォーマットのサービスアクティビティデータを上記ネットワーク側に送信するための送信モジュールと
を含むことを特徴とする請求項６に記載の基地局。
【請求項１０】
第１ホーム基地局が送信した、第１端末がホームネットワークデバイスを制御することを示すサービスアクティビティ情報を取得し、上記サービスアクティビティ情報に基づいてユーザのサービスアクティビティを獲得するためのプレゼンスサーバと、
上記第１端末がホームネットワークデバイスを制御することを示すサービスアクティビティ情報を、上記プレゼンスサーバから取得するためのネットワークウォッチャーと
を含むことを特徴とするネットワーク側装置。
【請求項１１】
サービス内容をサービスプロバイダーから取得するためのサービス配信センタを更に含み、
上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信し、
上記サービス配信センタは、上記第２フォーマットのサービスアクティビティデータに基づいて、サービス推薦内容を取得して上記第１ホーム基地局に送信することを特徴とする請求項１０に記載のネットワーク側装置。
【請求項１２】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させることを特徴とする請求項１０又は１１に記載のネットワーク側装置。
【請求項１３】
第１端末が第１ホーム基地局を介してホームネットワークデバイスを制御することを示すサービスアクティビティ情報を取得し、上記サービスアクティビティ情報を、上記第１ホーム基地局に接続されるプレゼンスサーバに送信するための第１ホーム基地局と、
上記第１ホーム基地局が送信した、上記第１端末が上記ホームネットワークデバイスを制御することを示すサービスアクティビティ情報を取得し、上記サービスアクティビティ情報に基づいてユーザのサービスアクティビティを獲得するための上記プレゼンスサーバと、
上記第１端末がホームネットワークデバイスを制御することを示すサービスアクティビティ情報を、上記プレゼンスサーバから取得するためのネットワークウォッチャーと
を含むことを特徴とするネットワークシステム。
【請求項１４】
サービス内容をサービスプロバイダーから取得するためのサービス配信センタを更に含み、
上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信し、
上記サービス配信センタは、上記第２フォーマットのサービスアクティビティデータに基づいて、サービス推薦内容を取得して上記第１ホーム基地局に送信することを特徴とする請求項１３に記載のネットワークシステム。
【請求項１５】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させることを特徴とする請求項１３又は１４に記載のネットワークシステム。
【請求項１６】
上記第２端末は、上記サービスアクティビティ情報を上記プレゼンスサーバから取得し、上記サービスアクティビティ情報に対応するサービス内容を上記サービス配信センタから取得した後に生成されたサービス確認メッセージを返すための端末ウォッチャーを含むことを特徴とする請求項１５に記載のネットワークシステム。
【発明の詳細な説明】
【技術分野】
【０００１】
本発明は、移動通信技術分野のホームネットワークに係り、特にユーザのサービスアクティビティを感知する方法、基地局、ネットワーク側装置及びシステムに関する。
【背景技術】
【０００２】
ホーム基地局は、移動通信システムにおける基地局の小型バージョンであり、主として住宅、オフィス或いは公共場所の室内環境に配置される。
【０００３】
現在のホーム基地局は、一般的に４乃至６のユーザの同時通話をサポートすることができ、送信電力が小さく、カバレッジも比較的に小さい。一般的に、一つのホーム基地局は、一つのホームネットワークにおける端末、一つのオフィスにおける端末或いは一つの商店における端末に通信サービスを提供する。
【０００４】
図１に示す現在のホーム基地局サービスのアーキテクチャ図のように、ホームネットワークにおいて、ホーム基地局（例えばFemto）、ホームネットワークデバイスＨＮＤ（Home  Network  Device）及び該ホーム基地局を介してホームネットワークデバイスを制御可能な端末ＵＥ（User  Equipment）を含む。
【０００５】
そのうち、ホーム基地局は、一般基地局の音声通話機能を提供できるほか、高速の移動データサービス機能も提供する。ホーム基地局は、音声デバイスでありながらも、ホームネットワークに接続して他のホームネットワークデバイスと互いに接続するＩＰデバイスでもある。
【０００６】
ホームネットワークデバイスは、例えば、液晶テレビ、ゲーム機、録画機、パソコンなどが挙げられる。
【０００７】
携帯電話端末のような、ホームネットワークにおける端末は、ホーム基地局とＩＰチャネルを確立することによって、マルチメディアを使用し、ホームサービスの変更を行なってもよいし、ホーム基地局を介してホームネットワークデバイスＨＮＤを制御してもよい。
【０００８】
プロバイダーは、ホーム基地局サービスを提供するために、ネットワーク側にホーム基地局ゲートウェイ（例えばFemto  Gateway、略称：ＧＷ）を配置して、ホーム基地局の音声とデータストリームを纏めて転送する。
【０００９】
プロバイダーは、ネットワーク側にＩＰマルチメディアサブシステムＩＭＳ（IP  Multimedia  System）を配置し、ホーム基地局から送信された音声とデータストリームを、伝統的な回路域ＣＳ（Circuit  Switch）からＩＭＳに分流させる。ホーム基地局は、ホーム基地局ゲートウェイを介してＩＭＳにアクセスする。
【００１０】
ＩＭＳには、コール／セッション制御機能ＣＳＣＦ（Call/Session  Control  Function）、メディアゲートウェイ制御機能ＭＧＣＦ（Media  Gateway  Control  Function）、メディアゲートウェイＭＧＷ（Media  Gateway）を含む。ＩＭＳは、ＩＰに基づく音声とデータサービスをFetmoユーザに提供し、プレゼンス情報を伝送するチャネルをホーム基地局ユーザに提供することもできる。ホーム基地局ゲートウェイは、ＩＭＳのＭＧＷとＣＳＣＦに接続する。
【００１１】
ネットワーク側において、プロバイダーは、ホーム基地局サービス機能実体を配置する。該機能は、ホーム基地局サービスの制御センタであり、サービスと内容が纏められるポイントである。サービスプロバイダーＳＰ（Service  Provider）と内容プロバイダーＣＰ（Content  Provider）のデータは、ホーム基地局サービスを介してホーム基地局に伝送される。ホーム基地局は、ホーム基地局ゲートウェイを介してホーム基地局サービスにアクセスする。ホーム基地局サービスは、サービス側の機能実体として、主に具体的なサービスの制御、纏め及び伝送を処理する。
【００１２】
現在、プロバイダーが提供する現在のホーム基地局のサービスは、主に下記の二種類がある。
【００１３】
一．位置に基づくプレゼンス情報（Presence）
ホーム基地局ユーザがホーム基地局のカバレッジに入ると、ホーム基地局は、移動性管理又は位置サービスシグナリングに基づいてユーザの位置を獲得し、それから該ユーザの位置情報をその他の権限のあるユーザに提供する。例えば、一つの家庭に一人の子供と母親がいて、住宅に一つのホーム基地局があるとし、端末を携帯する子供が学校から帰宅すると、ホーム基地局は、子供の端末がホーム基地局のカバレッジに入ったことを検出して、子供が学校から帰宅した旨のショートメッセージを自動的に子供の母親に送信する。
【００１４】
二．位置に基づくサービス提供
ホーム基地局ユーザがホーム基地局のカバレッジにいるとき、一部のホーム基地局のサービスがアクティブされ、ホーム基地局のユーザの携帯電話にプッシュ配信される。例えば、子供が帰宅した後、ホーム基地局は、彼が好きなアニメの予告編を彼の携帯電話に送信する。
【００１５】
現在のサービス処理には主に下記の問題が存在する。
【００１６】
現在、ホーム基地局がユーザの位置に基づくプレゼンス情報しか識別できず、ユーザがある場所における具体的なアクティビティ（時間、場所、事件などが含まれる）を更に識別することができない。例えば、ホーム基地局は、ユーザが家にいることが分かるが、ユーザが家で何をしているかは分からない。
【００１７】
現在のホーム基地局のプレゼンス情報サービスが位置に基づくため、現在のホーム基地局のサービスも位置に基づいて提供される。より個性化のあるサービスの時代に、このようなサービス提供の方式が足りないものであり、ユーザがホーム基地局における具体的なアクティビティ、アクティビティの内容、時間など詳しいプレゼンス情報に基づく必要がある。
【００１８】
また、現在、ユーザが使用するホーム基地局のサービスは、友人と共有することができない。人と人のコミュニケーションと協力が高度に発展するインターネット時代に、孤立したサービスは、プロバイダーのサービスの普及に不利であり、ホーム基地局サービスの普及と応用範囲を制限している。
【発明の概要】
【発明が解決しようとする課題】
【００１９】
本発明が解決しようとする技術課題は、ユーザのサービスアクティビティを感知する方法、基地局、ネットワーク側装置及びシステムである。
【課題を解決するための手段】
【００２０】
上記の技術課題を解決するために、本発明の実施例は、ユーザのサービスアクティビティを感知する方法を提供する。
【００２１】
ユーザのサービスアクティビティを感知する方法において、第１端末がホーム基地局を介してホームネットワークデバイスを制御することを示すサービスアクティビティ情報を、取得することと、上記ホーム基地局に接続されるネットワーク側に上記サービスアクティビティ情報を送信し、上記ネットワーク側に上記サービスアクティビティ情報に基づいてユーザのサービスアクティビティを獲得させることとを含む。
【００２２】
第１端末がホーム基地局を介してホームネットワークデバイスを制御することを示すサービスアクティビティ情報を取得することにおいて、具体的に、第１端末が送信した、上記ホームネットワークデバイスに対するサービス制御要求を受信することと、上記ネットワーク側が上記サービス制御要求に従って返したサービス内容を、上記ホームネットワークデバイスに誘導することと、上記サービス内容に基づいて生成されたサービスアクティビティ情報を取得することとを含む。
【００２３】
上記ホーム基地局に接続されるネットワーク側に上記サービスアクティビティ情報を送信することにおいて、具体的に、上記サービスアクティビティ情報をＲＰＩＤフォーマットのサービスアクティビティデータに変換することと、上記ＲＰＩＤフォーマットのサービスアクティビティデータを上記ネットワーク側に送信することとを含む。
【００２４】
上記ホーム基地局に接続されるネットワーク側に上記サービスアクティビティ情報を送信することの後に、上記ネットワーク側が上記サービスアクティビティ情報に基づいて生成したサービス推薦内容を、取得して上記ホームネットワークデバイスに転送することを更に含む。
【００２５】
上記ホーム基地局に接続されるネットワーク側に上記サービスアクティビティ情報を送信することの後に、ネットワーク側は、上記サービスアクティビティ情報を第２端末に送信し、第２端末に上記サービスアクティビティ情報に基づいて、上記サービスアクティビティ情報に対応するサービス内容を、上記第２端末に接続されるホーム基地局を介して上記ネットワーク側から獲得させることを更に含む。
【００２６】
本発明の実施例は更に基地局を提供する。該基地局は、端末がホーム基地局を介してホームネットワークデバイスを制御することを示すサービスアクティビティ情報を、取得してサービス感知モジュールにリアルタイムに伝送するためのサービス代理モジュールと、上記ホーム基地局に接続されるネットワーク側に上記サービスアクティビティ情報を送信し、上記ネットワーク側に上記サービスアクティビティ情報に基づいてユーザのサービスアクティビティを獲得させるための上記サービス感知モジュールとを含む。
【００２７】
上記サービス代理モジュールは、端末が送信した、上記ホームネットワークデバイスに対するサービス制御要求を受信するための受信モジュールと、上記ネットワーク側が上記サービス制御要求に従って返したサービス内容を、上記ホームネットワークデバイスに誘導するための誘導モジュールと、上記サービス内容に基づいてサービスアクティビティ情報を生成し、上記サービスアクティビティ情報を上記サービス感知モジュールにリアルタイムに伝送するための生成モジュールとを含む。
【００２８】
上記サービス代理モジュールは、上記ネットワーク側が上記サービスアクティビティ情報に基づいて生成したサービス推薦内容を、取得して上記ホームネットワークデバイスに転送するための推薦サービス取得モジュールを更に含む。
【００２９】
上記サービス感知モジュールは、上記サービスアクティビティ情報をＲＰＩＤフォーマットのサービスアクティビティデータに変換するための変換モジュールと、上記ＲＰＩＤフォーマットのサービスアクティビティデータを上記ネットワーク側に送信するための送信モジュールとを含む。
【００３０】
本発明の実施例は、更にネットワーク側装置を提供する。該ネットワーク側装置は、第１ホーム基地局が送信した、第１端末がホームネットワークデバイスを制御することを示すサービスアクティビティ情報を取得し、上記サービスアクティビティ情報に基づいてユーザのサービスアクティビティを獲得するためのプレゼンスサーバと、上記第１端末がホームネットワークデバイスを制御することを示すサービスアクティビティ情報を、上記プレゼンスサーバから取得するためのネットワークウォッチャーとを含む。
【００３１】
上記ネットワーク側装置は、サービス内容をサービスプロバイダーから取得するためのサービス配信センタを更に含み、上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信し、上記サービス配信センタは、上記第２フォーマットのサービスアクティビティデータに基づいて、サービス推薦内容を取得して上記第１ホーム基地局に送信する。
【００３２】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させる。
【００３３】
本発明の実施例は、更にネットワークシステムを提供する。該ネットワークシステムは、第１端末が第１ホーム基地局を介してホームネットワークデバイスを制御することを示すサービスアクティビティ情報を取得し、上記サービスアクティビティ情報を、上記第１ホーム基地局に接続されるプレゼンスサーバに送信するための第１ホーム基地局と、上記第１ホーム基地局が送信した、上記第１端末が上記ホームネットワークデバイスを制御することを示すサービスアクティビティ情報を取得し、上記サービスアクティビティ情報に基づいてユーザのサービスアクティビティを獲得するための上記プレゼンスサーバと、上記第１端末がホームネットワークデバイスを制御することを示すサービスアクティビティ情報を、上記プレゼンスサーバから取得するためのネットワークウォッチャーとを含む。
【００３４】
該ネットワークシステムは、サービス内容をサービスプロバイダーから取得するためのサービス配信センタを更に含み、上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信し、上記サービス配信センタは、上記第２フォーマットのサービスアクティビティデータに基づいて、サービス推薦内容を取得して上記第１ホーム基地局に送信する。
【００３５】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させる。
【００３６】
上記第２端末は、上記サービスアクティビティ情報を上記プレゼンスサーバから取得し、上記サービスアクティビティ情報に対応するサービス内容を上記サービス配信センタから取得した後に生成されたサービス確認メッセージを返すための端末ウォッチャーを含む。
【発明の効果】
【００３７】
本発明の上記技術方案により、下記の有益な効果を得られる。
【００３８】
上記方案において、第１端末がホームネットワークデバイスを制御することを示すサービスアクティビティ情報を、取得してネットワーク側に送信する。こうして、ネットワーク側は、該サービスアクティビティ情報からユーザのサービスアクティビティを獲得した後に、現在ホームネットワークにおける第１端末の、ホームネットワークデバイスに対する具体的なサービスアクティビティを、例えば該第１端末のサービスアクティビティを取得したがるユーザなど、他の端末に送信することができる。
【図面の簡単な説明】
【００３９】
【図１】従来技術におけるホーム基地局サービスのアーキテクチャを示す。
【図２】本発明のホーム基地局サービスのネットワークシステムのアーキテクチャーを示す。
【図３】図２に示すアーキテクチャーにおいてユーザのサービスアクティビティを感知する方法の流れを示す。
【図４】図２に示すアーキテクチャーにおいてユーザのサービスアクティビティを感知する別の方法の流れを示す。
【図５】図２に示すアーキテクチャーにおいてユーザのサービスアクティビティを感知するまた別の方法の流れを示す。
【発明を実施するための形態】
【００４０】
本発明が解決しようとする技術課題、技術方案及びメリットをより明確化するために、以下、図面及び具体的な実施例を通して詳しく説明する。
【００４１】
本発明は、従来技術における、ホーム基地局がホームネットワーク中の端末によるホームネットワークデバイスへの具体的なサービスアクティビティを感知できないという問題に鑑みて、ホームネットワーク中の端末によるホームネットワークデバイスへの具体的なサービスアクティビティを感知できる、ユーザのサービスアクティビティを感知する方法、基地局、ネットワーク側装置及びシステムを提供する。
【００４２】
移動通信が現在まで発展してきて、容量上の需要がますます増加するにつれ、セルがますます小さくなる。また、ユーザが移動通信の個性化のあるサービスへの需要もますます強くなる。一方、大きい基地局の建設と保守コストがますます高くなっており、プロバイダーにとって、低コストで迅速に配置可能な基地局システムが求められる。ホーム基地局は、正に通信発展の需要、ユーザの需要及びプロバイダーの需要に応じて生まれたものである。しかし、現在のホーム基地局のほとんどは、今までの基地局方式を援用して進化してきたものであり、無線アクセスをユーザに提供し、ユーザの音声及びデータ通信の需要を満足することに止まっている。
【００４３】
図２は、本発明が提供する、ホーム基地局サービスに基づくネットワークシステムを示す。
【００４４】
該ネットワークシステムは、第１端末が第１ホーム基地局を介してホームネットワークデバイスを制御することを示すサービスアクティビティ情報を取得し、上記サービスアクティビティ情報を、上記第１ホーム基地局に接続されるプレゼンスサーバに送信するための第１ホーム基地局と、上記第１ホーム基地局が送信した、上記第１端末が上記ホームネットワークデバイスを制御することを示すサービスアクティビティ情報を取得し、上記サービスアクティビティ情報に基づいてユーザのサービスアクティビティを獲得するための上記プレゼンスサーバと、上記第１端末がホームネットワークデバイスを制御することを示すサービスアクティビティ情報を、上記プレゼンスサーバから取得するためのネットワークウォッチャーとを含む。
【００４５】
上記ネットワークシステムは、サービス内容をサービスプロバイダーから取得するためのサービス配信センタを更に含む。
【００４６】
上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信する。
【００４７】
上記サービス配信センタは、上記第２フォーマットのサービスアクティビティデータに基づいて、サービス推薦内容を取得して上記第１ホーム基地局に送信する。
【００４８】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させる。
【００４９】
上記第２端末は、上記サービスアクティビティ情報を上記プレゼンスサーバから取得し、上記サービスアクティビティ情報に対応するサービス内容を上記サービス配信センタから取得した後に生成されたサービス確認メッセージを返すための端末ウォッチャーを含む。
【００５０】
なお、第１端末も端末ウォッチャーを有してもよい。該第２端末と第１端末は、いずれもホーム基地局サービスをサポートする端末であり、同一機能を有する端末であってもよい。
【００５１】
以下、上記ネットワークシステムアーキテクチャーに基づいて更に説明する。
【００５２】
現在、ホーム基地局（Femto）は、単に一つの基地局、一つのアンテナではなくなり、ホーム通信とマルチメディア制御センターになっている。ＵＥについても、一部の携帯電話だけではなく、ホーム通信とマルチメディアサービスのコントローラであり、リモコンに類似するが、機能がリモコンより遥かに多い。
【００５３】
ホーム基地局は、ホームネットワークを介してホームネットワークデバイスＨＮＤに接続する。ホームネットワークデバイスとして、例えば、液晶テレビ、ＤＶＤプレイヤー、デジタルセットトップボックス、固定回線電話、パソコン又はホーム環境制御システムである。
【００５４】
ホーム基地局は、サービス代理モジュールＦＳＡ（Femto  Service  Agent）を含む。ＦＳＡは、ＩＰ技術によってＨＮＤに接続する。
【００５５】
ＨＮＤは、ＦＳＡを介してユーザのサービス制御要求を受信する。
【００５６】
端末ＵＥとして、ホーム基地局サービス制御ＦＳＣ（Femto  Service  Control）を含む。ユーザは、マン・マシン・インタフェースを介してＦＳＣを制御し、ＦＳＡを介して、例えば液晶テレビでの映画「トランスフォーマー」の再生、ＰＳ３でのゲーム「ＦＩＦＡ１０」の開始、ある部屋での家庭会議の招集、パソコン内画像のノートパソコンへの表示などのサービス制御要求をＨＮＤに送信する。
【００５７】
ホーム基地局は、制御センタとして、ユーザのＵＥを介した各種のアクティビティをモニタすることができ、ユーザのアクティビティデータを抽出し、ＲＰＩＤフォーマット（Rich  Presence  Information  Data  Format）でユーザの位置とサービスアクティビティ情報を整理し、ユーザの位置とサービスアクティビティ情報をＩＭＳを介して、インターネットとプロバイダーネットワークにおけるホーム基地局サービス機能実体に配布し、又はユーザの友人に見せる。
【００５８】
例えば、ホーム基地局ユーザが家で映画「トランスフォーマー」を鑑賞するときに、該ユーザの友人は、該ホーム基地局ユーザのサービスアクティビティ情報を購読したのであれば、該ホーム基地局ユーザ（ユーザ身分）が現在９:００ＡＭ（時間）に家（位置）で「トランスフォーマー」（サービス）を観賞する（動作）というリッチなオンライン状態情報を、携帯電話又はパソコンから見ることができる。
【００５９】
ネットワーク側のホーム基地局サービス機能実体におけるネットワーク側ウォッチャー（watcher）は、ホーム基地局から該ホーム基地局ユーザのＲＰＩＤフォーマットのサービスアクティビティ情報を受信した後、ＲＰＩＤフォーマットのサービスアクティビティ情報データからキーワード、例えばユーザ身分、位置、動作、サービスなどのアクティビティ情報を抽出し、ホーム基地局サービス配信センタＦＳＤ（Femto  Service  Delivery）に伝送し分析する。
【００６０】
ＦＳＤは、ネットワーク側ウォッチャーと接続し、ホーム基地局ユーザのＲＰＩＤを受信する。例えば、ＦＳＤは、ホーム基地局ユーザが「トランスフォーマー」を観賞しているのを見て、該ホーム基地局ユーザの嗜好設定（Preference）を検索し、該ホーム基地局ユーザがＳＦ映画を見るのが好きで最新の大作ＳＦ映画をネットワークから推薦されるのを所望しており、且つユーザがホーム基地局の配下にあり、液晶テレビで観賞することが分かる。そして、ＦＳＤは、自分のキャッシュ又は内容プロバイダーＣＰから最新の大作ＳＦ映画を検索し、例えば、「２０１２」が最新に更新されたものであるのを見て、該映画を該ホーム基地局ユーザに推薦するのを決める。
【００６１】
ＦＳＤは、ホーム基地局におけるＦＳＡを介して、ユーザの携帯電話のＨＳＣに情報を送信し、「２０１２」が該ユーザの好きそうな映画でホーム基地局を介して観賞可能であることを促す。
【００６２】
本発明は、ホーム基地局ユーザのリッチなオンライン状態をプレゼンスし、ユーザのオンライン状態に基づいてサービス推薦を提供するほか、ホーム基地局にホーム基地局ユーザの現在使用しているサービスをその友人と自動的に共有させることもできる。例えば、ホーム基地局ユーザがＵＥを介してホーム基地局から「トランスフォーマー」の再生を制御するとき、ホーム基地局は、ＦＳＡを介してユーザのサービス種類と内容を検出し、それから、ホーム基地局サービス感知モジュール（Femto  Sense）は、例えば、友人と共有できるサービスの種類、サービスを共有できる友人リストなど、ホーム基地局ユーザのサービス共有に関する設定をチェックする。その後、ユーザが使用するサービスの種類と内容をＩＭＳを介して友人のＵＥのウォッチャーに配布する（友人が現在ホーム基地局のカバレッジにある場合）。友人がサービスを共有すると確認した場合、ＵＥのマン・マシン・インタフェースを介して確認を行い、サービスを再生するＨＮＤ（液晶テレビ、ＰＣ又はＰＳＰなど）を選択する。ウォッチャーは、使用すると確認したサービスの種類と内容を携帯電話のＨＳＣに送信し、ＨＳＣは、サービス制御命令をホーム基地局のＦＳＡに送信し、ＦＳＡは、ネットワークにおけるＦＳＤから対応するサービスを抽出し、ＨＮＤに伝送する。こうして友人も自宅で「トランスフォーマー」を観賞するようになる。この機能のメリットとして、完全的な自動化設定を実現しており、人間とコンピュータの相互作用が少なく、ホーム基地局サービスの使用効率を向上し、ユーザ間のコミュニケーションを深めた。
【００６３】
上記ホーム基地局サービスアーキテクチャーにおいて、ホーム基地局により、ユーザアクティビティの感知、リッチなオンライン状態の配布及びサービスの共有を実現する。そういうふうにすることのメリットとして、ホーム基地局のサービス体験が増加してより豊富になり、同時にホーム基地局がより知能的となり、ネットワークが知能的なホーム基地局を介してより個性化のあり、より迅速なサービスをユーザに提供することができる。
【００６４】
上記ホーム基地局サービスアーキテクチャーに基づいて、本発明の実施例は、ユーザのサービスアクティビティを感知する方法を提供する。本発明の方法は、以下のステップ２１〜２２を含む。
【００６５】
ステップ２１において、第１端末がホーム基地局を介してホームネットワークデバイスを制御することを示すサービスアクティビティ情報を取得する。
【００６６】
ステップ２２において、上記ホーム基地局に接続されるネットワーク側に上記サービスアクティビティ情報を送信し、上記ネットワーク側に上記サービスアクティビティ情報に基づいてユーザのサービスアクティビティを獲得させる。
【００６７】
該実施例において、ステップ２１とステップ２２を実行する主体は、ホーム基地局である。該ホーム基地局は、第１端末がホームネットワークデバイスを制御することを示すサービスアクティビティ情報を、取得してネットワーク側に送信することにより、ネットワーク側は、ユーザの具体的なサービスアクティビティを該サービスアクティビティ情報に基づいて獲得し、現在ホームネットワークにおける第１端末の、ホームネットワークデバイスに対するサービスアクティビティ情報を、例えば該第１端末のサービスアクティビティを取得したがるユーザのような、他の端末に送信することができる。
【００６８】
上記ステップ２１を実現するには、具体的に下記ステップ２１１〜２１３が含まれる。
【００６９】
ステップ２１１において、第１端末が送信した、上記ホームネットワークデバイスに対するサービス制御要求を受信する。
【００７０】
ステップ２１２において、上記ネットワーク側が上記サービス制御要求に従って返したサービス内容を、上記ホームネットワークデバイスに誘導する。
【００７１】
ステップ２１３において、上記サービス内容に基づいて生成されたサービスアクティビティ情報を取得する。
【００７２】
上記ステップ２１２を実現するには、具体的に下記ステップ２１２１〜２１２３が含まれる。
【００７３】
ステップ２１２１において、上記サービス制御要求を上記ホームネットワークデバイス及び上記ネットワーク側に転送する。
【００７４】
ステップ２１２２において、上記ネットワーク側が上記サービス制御要求に従って返したサービス内容を受信する。
【００７５】
ステップ２１２３において、上記サービス内容を上記ホームネットワークデバイスに送信する。
【００７６】
また、上記ステップ２２を実現するには、具体的に下記ステップ２２１〜２２２を含んでもよい。
【００７７】
ステップ２２１において、上記サービスアクティビティ情報をＲＰＩＤフォーマットのサービスアクティビティデータに変換する。
【００７８】
ステップ２２２において、上記ＲＰＩＤフォーマットのサービスアクティビティデータを上記ネットワーク側に送信する。
【００７９】
上記方法の具体的な実現過程は、図３のフローチャートを参照する。図３は、上記方法の具体的な応用であり、以下のステップ３１〜３９が含まれる。
【００８０】
ステップ３１において、ユーザは、端末におけるＦＳＣを介してホーム基地局におけるＦＳＡにサービス制御要求を送信する。該要求には、ユーザＩＤ、動作、サービス種類、サービスアドレス、内容のタイトル、ＨＮＤ名などのパラメータが含まれる。
【００８１】
ユーザＩＤは、ユーザの身分を区別するためのものであり、具体的にプロバイダーによって決められる。
【００８２】
動作とは、例えば映画の再生（Play）、ゲームの開始（Start）、ニュースの閲覧（Review）、家電の制御（Control）など、サービスの実行方式を指す。
【００８３】
サービス種類とは、例えばビデオチャンネル、画像共有、家電制御など、ユーザがホーム基地局を介して使用する具体的なサービス種類を指す。
【００８４】
サービスアドレスとは、例えばローカルのホームネットワーク内のあるＨＮＤ又はプロバイダーネットワークにおけるあるサーバのドメイン名など、ホーム基地局サービスの位置を指す。
【００８５】
内容のタイトルとは、例えばビデオ名、制御対象家電名、ゲーム名など、ユーザが使用を所望するサービスの具体的な内容を指す。
【００８６】
ＨＮＤ名とは、ホーム基地局サービスが実行されるホームネットワークデバイスを指す。
【００８７】
ステップ３２ａにおいて、サービス制御要求は、ホームネットワーク内部のサービス代理モジュールＦＳＡに送信される。
【００８８】
ホーム基地局におけるＦＳＡは、ユーザＵＥから送信されたサービス制御メッセージを受信すると、まず初期分析を行い、例えばユーザＩＤがホーム基地局のユーザリストにあるか否かを照合する。照合に成功すると、ＦＳＡは、サービスアドレスの種類に基づいて、該メッセージがホームネットワーク内部に送信するものであると識別し、そして、ホームネットワークにおけるＨＮＤに対してサービス制御要求を送信する。該サービス制御要求には、ユーザＩＤ、サービスアドレス、内容のタイトルなどが含まれる。このとき、ユーザＩＤは、ＨＮＤがユーザの対応する設定及びコンテクストパラメータを索引することに用いられる。サービスアドレスは、ＨＮＤがサービスの位置する目録又はサーバを検索することに用いられる。内容のタイトルは、ＨＮＤが具体的なファイル又はアプリケーションプログラムを検索することに用いられる。
【００８９】
ステップ３２ｂにおいて、サービス制御要求は、ＦＳＡによりホームネットワーク外部の、プロバイダーネットワークにおけるホーム基地局サービス機能実体に送信される。
【００９０】
ホーム基地局におけるＦＳＡは、ユーザ端末から送信されたサービス制御要求を受信すると、ユーザＩＤがホーム基地局の許容ユーザリストにあるか否かを照合する。照合に成功した後、ＦＳＡは、メッセージにおけるサービスアドレスの種類に基づいて、このメッセージがホーム基地局サービスに送信するものであることを識別し、そして、ホーム基地局サービス機能実体におけるＦＳＤに対してサービス制御要求を送信する。該サービス制御要求には、ユーザＩＤ、ホーム基地局アドレス、サービス種類、内容のタイトル、嗜好設定などのパラメータが含まれる。ホーム基地局アドレスは、ＦＳＤによるサービスの伝送に用いられる。サービス種類とは、具体的なホーム基地局サービスの種類を指し、ステップ３１におけるサービス種類に対応する。内容のタイトルは、ステップ３１における内容のタイトルと同じである。
【００９１】
ステップ３３において、ＦＳＤは、サービス制御要求を受信すると、サービス制御要求をチェックする。ユーザの契約データに一致し、要求するサービスも利用可能なものであれば、ＦＳＤは、ＦＳＡに対してサービス受信メッセージを送信する。サービスの準備を整えると、ＦＳＤは、サービス内容をＦＳＡに伝送する。
【００９２】
ステップ３４において、ＦＳＡは、サービス内容を受信すると、ユーザのサービス制御要求におけるＨＮＤ名情報に基づいて、サービス内容をホームネットワークにおける該当ＨＮＤに誘導する。例えばビデオストリームを液晶テレビに誘導し、ゲームをゲーム機に誘導する。
【００９３】
ステップ３５において、ＦＳＡは、サービスの誘導に成功すると、サービスアクティビティ情報を、ホーム基地局におけるホーム基地局のサービス感知モジュールに送信してユーザに報告する。該サービスアクティビティ情報には、ユーザＩＤ、動作、サービス種類、内容のタイトル、ＨＮＤ名などのパラメータが含まれる。パラメータの具体的な意味は、ステップ３１、３２と同じである。
【００９４】
ステップ３６において、ホーム基地局のサービス感知モジュールは、ユーザに報告するサービスアクティビティ情報を受信すると、ユーザのサービスアクティビティ情報をローカルメモリに格納して、ユーザのサービス設定情報を検索する。該サービス設定情報は、ユーザアクティビティ情報を公開するか否か、公開可能なユーザアクティビティ情報などを含む。ユーザアクティビティ情報におけるいくつかの内容がユーザの設定情報に一致するのであれば、ホーム基地局のサービス感知モジュールは、プロバイダーネットワークにおけるプレゼンスサーバにPublishメッセージを送信する。メッセージには、ＲＰＩＤフォーマットによるサービスアクティビティ情報が含まれる。ＲＰＩＤフォーマットによるサービスアクティビティ情報のアクティビティ域データには、動作、サービス種類、サービスチャンネル、内容のタイトル、ＨＮＤ名が含まれる。ＲＰＩＤの位置種類データには、ホームのアドレスを含み、Sphereデータにはマイホームを含み、コンタクトパーソン（デバイス）の種類は、ユーザＩＤである。
【００９５】
Publishメッセージ及び後述する２００  ＯＫメッセージ、通知（Notify）メッセージは、いずれもセッション確立プロトコルＳＩＰ（Session  Initiation  Protocol）に基づくものである。
【００９６】
ステップ３７において、プレゼンスサーバは、ホーム基地局のサービス感知モジュールから送信されたPublishメッセージを受信して正しいと確認した後、Publishメッセージにおけるホーム基地局ユーザのＲＰＩＤデータをローカルのオンライン状態データベースに格納する。そして、ホーム基地局のサービス感知モジュールから送信されたPublishメッセージの受信確認として、ホーム基地局のサービス感知モジュールに２００  ＯＫメッセージを送信する。
【００９７】
ステップ３８において、プレゼンスサーバは、ローカル購読メッセージを照合し、該ホーム基地局ユーザのプレゼンス情報を購読したネットワークウォッチャー又は端末ウォッチャーを確認する。プレゼンスサーバは、情報を購読し且つ権限のあるウォッチャーに対して通知（Notify）メッセージを送信する。通知メッセージには、プレゼンス情報（Presence）に設定されたイベント（Event）ヘッダ域を含み、本通知メッセージが更新されたプレゼンス情報を配布するものであることを示す。また、ＲＰＩＤフォーマットによるプレゼンス情報ファイルが含まれる。
【００９８】
ステップ３９において、ネットワークウォッチャーは、通知（Notify）メッセージを受信すると、該通知（Notify）メッセージの受信確認として、プレゼンスサーバに２００  ＯＫメッセージを送信する。ウォッチャーは、通知（Notify）メッセージにおけるＲＰＩＤファイルのプレゼンス情報を抽出し、上位レイヤのアプリケーションプログラムに送信してユーザに見せる。
【００９９】
本実施例におけるウォッチャーは、ＳＩＰプロトコルに基づくものであり、ソフトウェアモジュールである。ウォッチャーは、プロバイダーネットワークのサーバ上の実行中のソフトウェアであってもよいし、インターネットのウェブページにＷｅｂ２．０技術に基づくモジュールであってもよいし、ユーザの携帯電話のｊａｖａに基づくモジュールであってもよい。
【０１００】
本発明の別の実施例において、上記ステップ２２の後に、更に下記ステップ２３を含む。
【０１０１】
ステップ２３において、上記ネットワーク側が上記サービスアクティビティ情報に基づいて生成したサービス推薦内容を、取得して上記ホームネットワークデバイスに転送する。
【０１０２】
詳しく言うと、サービスアクティビティ情報におけるサービス設定情報に基づいてサービス推薦内容を生成する。
【０１０３】
該実施例の具体的な実現過程は、図４に示される。本実施例によるホーム基地局ユーザサービス提供方法は、次のステップを含む。
【０１０４】
図４におけるステップ４１〜４９は、図３におけるステップ３１〜３９に対応するものであるため、ここでは重複に説明しない。
【０１０５】
ステップ４Ａにおいて、ホーム基地局に接続されるネットワーク側のネットワークウォッチャーは、ユーザをプッシュ配信するサービスアクティビティ情報をＦＳＤに送信する。該サービスアクティビティ情報には、ステップ４７で受信したＲＰＩＤにおけるすべてのプレゼンス情報を含む。
【０１０６】
ステップ４Ｂにおいて、ＦＳＤは、ホーム基地局ユーザのプレゼンス情報を受信すると、位置種類、サービス種類、内容のタイトル及びＨＮＤ名など、ユーザのサービス設定情報を分析する。例えば、ユーザが家でホーム基地局の映画チャンネルを通じ液晶テレビで「トランスフォーマー」を鑑賞するときに、ＦＳＤは、分析ソフトウェアを通して、例えば「２０１２」のような、「トランスフォーマ」と類似し、ユーザが現在使用中の液晶テレビに適合し、ユーザが現在使用中のホーム基地局高速データリンクにも適合する映画を見つけ出す。ＦＳＤは、「２０１２」をユーザに推薦しようとする。
【０１０７】
ステップ４Ｃにおいて、ＦＳＤは、サービス内容取得命令をサービス内容プロバイダー（ＳＰ）に送信し、「２０１２」のプレビューをＳＰから取得する。
【０１０８】
ステップ４Ｄにおいて、ＳＰは、該当するプレビューをＦＳＤに提供する。
【０１０９】
ステップ４Ｅにおいて、ＦＳＤは、ホーム基地局のＦＳＡに対して映画「２０１２」のプレビューを伝送する。
【０１１０】
ステップ４Ｆにおいて、ＦＳＡは、ユーザ端末のＦＳＣモジュールに情報を送信して、現在ユーザに「２０１２」を推薦することをホーム基地局に促す。ユーザがプレビューを観賞すると確認する場合、ＦＳＣを介して確認を行う。ユーザが確認を行う場合、ＦＳＣを介して確認でき、それからステップ４１〜４５を通して、「２０１２」をＦＳＤから取得するようにホーム基地局を制御する。
【０１１１】
本実施例において、推薦するサービスが映画である。本実施例において説明した方法によれば、ユーザのホーム基地局を介したサービスアクティビティをホーム基地局サービス感知モジュールに感知させることができる。例えばホームの環境パラメータを制御して、それからＦＳＤが環境保護及び科学的な知識分析に基づいて、最適な制御方式をユーザに推薦する。
【０１１２】
また、本発明の別の実施例において、ステップ２２の後に、下記のステップ２４を有してもよい。
【０１１３】
ステップ２４において、ネットワーク側は、上記サービスアクティビティ情報を第２端末に送信し、上記第２端末に上記サービスアクティビティ情報に基づいて、上記サービスアクティビティ情報に対応するサービス内容を、上記第２端末に接続されるホーム基地局を介して上記ネットワーク側から獲得させる。こうして、第１端末と第２端末は、通話をせずに、サービスの供給を実現できる。
【０１１４】
該実施例の具体的な実現過程は、図５のフローチャートに示される。本実施例によるホーム基地局サービス供給情報は、主に下記のステップを含む。
【０１１５】
ステップ５１〜５９は、図４におけるステップ４１〜４９に対応する。
【０１１６】
ステップ５Ａにおいて、第１端末のユーザ端末の端末ウォッチャーがプレゼンスサーバから送信された通知（Notify）メッセージを受信すると、端末ウォッチャーは、ユーザ端末のマン・マシン・インタフェースにおいて、該第２端末のユーザの友人（即ち第１端末のユーザ）がホーム基地局を通じ「トランスフォーマー」を観賞していることを表示して、このサービスを彼と共有する。
【０１１７】
ステップ５Ｂにおいて、ユーザが共有サービスを使用すると確認すると、端末のマン・マシン・インタフェースにおいて共有サービスをクリックし、第２端末のウォッチャーに、共有するサービス情報をサービス共有確認メッセージを介してＦＳＣに送信するようにトリガーする。サービス情報には、サービスアドレス、サービス種類、内容のタイトルなどが含まれる。第２端末のサービス代理モジュールは、該サービス情報に基づいて、該当するサービス内容をサービス配信センタから取得する。
【０１１８】
ステップ５Ｃ〜５Ｆは、図３におけるステップ３１〜３４に対応する。
【０１１９】
本実施例の方法は、オフィス応用環境にも適用する。その場合、オンライン状態プレゼンスサーバ、ホーム基地局サービス配信センタ、ウォッチャーなどの機能モジュールは、オフィスのサーバ又はその他の位置に配置することができる。
【０１２０】
再び図２に戻り、本発明の実施例は、基地局（Femto）、例えばホームネットワークにおける第１ホーム基地局を提供する。図２における第２ホーム基地局は、第１ホーム基地局とはまったく同じホーム基地局である。該実施例に記載されるホーム基地局は、第１ホーム基地局であってもよいし、第２ホーム基地局であってもよい。
【０１２１】
該ホーム基地局は、端末がホーム基地局を介してホームネットワークデバイス（ＨＮＤ）を制御することを示すサービスアクティビティ情報を、取得してサービス感知モジュール（Femto  Sense）にリアルタイムに伝送するためのサービス代理モジュールＦＳＡと、上記ホーム基地局に接続されるネットワーク側に上記サービスアクティビティ情報を送信し、上記ネットワーク側に上記サービスアクティビティ情報に基づいてユーザのサービスアクティビティを獲得させるための上記サービス感知モジュールとを含む。
【０１２２】
該サービス代理モジュールＦＳＡは、端末が送信した、上記ホームネットワークデバイスに対するサービス制御要求を受信するための受信モジュールと、上記ネットワーク側が上記サービス制御要求に従って返したサービス内容を、上記ホームネットワークデバイスに誘導するための誘導モジュールと、上記サービス内容に基づいてサービスアクティビティ情報を生成し、上記サービスアクティビティ情報を上記サービス感知モジュールにリアルタイムに伝送するための生成モジュールとを含む。
【０１２３】
上記サービス代理モジュールは、上記ネットワーク側が上記サービスアクティビティ情報に基づいて生成したサービス推薦内容を、取得して上記ホームネットワークデバイスに転送するための推薦サービス取得モジュールを更に含む。
【０１２４】
また、上記サービス感知モジュールは、上記サービスアクティビティ情報をＲＰＩＤフォーマットのサービスアクティビティデータに変換するための変換モジュールと、上記ＲＰＩＤフォーマットのサービスアクティビティデータを上記ネットワーク側に送信するための送信モジュールとを含む。
【０１２５】
なお、上記図３、図４及び図５に示される具体的な実現過程は、同じく該ホーム基地局の実施例に適用し、同一の技術効果を達することができる。
【０１２６】
また、本発明の実施例は、更にネットワーク側装置を提供する。
【０１２７】
該ネットワーク側装置は、第１ホーム基地局が送信した、第１端末がホームネットワークデバイスを制御することを示すサービスアクティビティ情報を取得し、上記サービスアクティビティ情報に基づいてユーザのサービスアクティビティを獲得するためのプレゼンスサーバ（Presence  Server）と、上記第１端末がホームネットワークデバイスを制御することを示すサービスアクティビティ情報を、上記プレゼンスサーバから取得するためのネットワークウォッチャー（Watcher）とを含む。
【０１２８】
該ネットワーク側装置は、サービス内容をサービスプロバイダーから取得するためのサービス配信センタＦＳＤを更に含む。
【０１２９】
上記ネットワークウォッチャーは、更に、上記サービスアクティビティ情報を、上記サービス配信センタに識別可能な第２フォーマットのサービスアクティビティデータに変換し、上記第２フォーマットのサービスアクティビティデータを上記サービス配信センタに送信する。
【０１３０】
上記サービス配信センタは、上記第２フォーマットのサービスアクティビティデータに基づいて、サービス推薦内容を取得して上記第１ホーム基地局に送信する。
【０１３１】
上記プレゼンスサーバは、更に、上記第１端末がホームネットワークデバイスを制御することを示すサービスアクティビティ情報を第２端末に転送し、上記第２端末に上記サービスアクティビティ情報に基づいて、上記サービスアクティビティ情報に対応するサービス内容を、上記第２端末に接続される第２ホーム基地局を介して上記サービス配信センタから獲得させる。
【０１３２】
なお、上記図３、図４及び図５に示される具体的な実現過程は、同じく該ホーム基地局の実施例に適用し、同一の技術効果を達することができる。
【０１３３】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005588335.tif 000002
【図２】
0005588335.tif 000003
【図３】
0005588335.tif 000004
【図４】
0005588335.tif 000005
【図５】
0005588335.tif 000006